(57)【要約】【課題】本考案は、レンズ枠体、テンプル部材及び鼻パッド部材を容易に連結して製造可能で連結部分の強度を高めることができる眼鏡を提供することを目的とする。【解決手段】眼鏡は、レンズ１１を保持する一対の枠部分１０の中央側を所定の間隔を空けて接続する接続部分１２を有するレンズ枠体１と、テンプル部分２０に接続する一対のフロント部分２１の中央側を接続する取付部分２２を有するテンプル部材２と、一対の鼻パッド３０を支持する一対の線状支持体３１が取付固定された板状係止体３２を有する鼻パッド部材３とを備え、接続部分１２及び取付部分２２を重ね合せて連通する長孔１２ａ及び２２ａに板状係止体３２が挿着されてレンズ枠体１及びテンプル部材２が鼻パッド部材３とともに連結されている。【選択図】図１
0003192205.tif 000002
【実用新案登録請求の範囲】
【請求項１】
レンズを保持する一対の枠部分の中央側を所定の間隔を空けて接続する接続部分を有するレンズ枠体と、テンプル部分に接続する一対のフロント部分の中央側を接続する取付部分を有するテンプル部材と、一対の鼻パッドを支持する一対の線状支持体が取付固定された板状係止体を有する鼻パッド部材とを備え、前記接続部分及び前記取付部分には、それぞれ前記板状係止体が挿入可能な長孔が形成されており、前記接続部分及び前記取付部分を重ね合せて連通している前記長孔に前記板状係止体が挿着されて前記レンズ枠体及び前記テンプル部材が鼻パッド部材とともに連結されている眼鏡。
【請求項２】
前記板状係止体は、前記長孔の内面に形成された突起部に係合する凹部が形成されている請求項１に記載の眼鏡。
【請求項３】
前記板状係止体は、前記線状支持体の取付位置から前記線状支持体から延設されるように支持部が切り欠いて形成されている請求項１又は２に記載の眼鏡。
【考案の詳細な説明】
【技術分野】
【０００１】
本考案は、レンズ枠体、テンプル部材及び鼻パッド部材を組み合せた眼鏡に関する。
【背景技術】
【０００２】
眼鏡は、一般に、一対のレンズを保持するレンズ枠体、使用者の頭部に掛止されて眼鏡を安定して保持するテンプル部材及び一対のレンズの間に取り付けられて使用者の鼻部に掛止される鼻パッド部材を備えている。そして、眼鏡のデザインや強度に応じてこれらの部材の形状や材質に関して様々な改良工夫が行われてきている。また、これらの部材の組合せについても、眼鏡の製造コストの低減の観点から部材の一体化又は連結に改良工夫が行われている。
【０００３】
例えば、特許文献１では、左右一対の眼鏡レンズを連結するブリッジに固定されるパッドアームを、ブリッジの長孔に対して着脱可能に取付け、左右一対のノーズパッドを両端部に保持する線材からなるパッドアームの中央部分に凸形のばね性のある折曲部を設けた眼鏡のパッドアーム取付構造が記載されている。また、特許文献２では、左右両端部にテンプルを備える保持フレームと、保持フレームの背面側に配設されて左右のレンズを装着可能なインナー枠とを備え、保持フレーム及びインナー枠をノーズパッドとともに連結した二重連結構造の眼鏡フレームが記載されている。
【先行技術文献】
【特許文献】
【０００４】
【特許文献１】特開２０１３−４５０４６号公報
【特許文献２】特開２０１３−８８５６６号公報
【考案の概要】
【考案が解決しようとする課題】
【０００５】
上述した特許文献１では、線材からなるパッドアームをブリッジに着脱可能に取り付けるようにしているが、パッドアームがブリッジの長孔に対して固定されていないため、がたついて鼻パッドが不安定になる。そのため、眼鏡を着用した状態では、眼鏡ががたついて安定した着用状態とはならないおそれがある。そして、パッドアームが線材からなるため、変形しやすく鼻パッドの取付位置が変化するようになって調整をすることが必要となる。また、特許文献２では、保持アーム、インナー枠及びノーズパッドをネジ等の固定部材により連結するようにしているが、複数のネジにより固定する必要があり、部品点数が増加するとともにネジの締め付けに対応して保持アーム等の部材の強度を高める必要があり、設計上制約を受けるようになる。また、ネジを固定した後にネジの頭が表面に露出するようになり、眼鏡のデザイン上好ましくない。
【０００６】
そこで、本考案は、レンズ枠体、テンプル部材及び鼻パッド部材を容易に連結して製造可能で連結部分の強度を高めることができる眼鏡を提供することを目的とする。
【課題を解決するための手段】
【０００７】
本考案に係る眼鏡は、レンズを保持する一対の枠部分の中央側を所定の間隔を空けて接続する接続部分を有するレンズ枠体と、テンプル部分に接続する一対のフロント部分の中央側を接続する取付部分を有するテンプル部材と、一対の鼻パッドを支持する一対の線状支持体が取付固定された板状係止体を有する鼻パッド部材とを備え、前記接続部分及び前記取付部分には、それぞれ前記板状係止体が挿入可能な長孔が形成されており、前記接続部分及び前記取付部分を重ね合せて連通している前記長孔に前記板状係止体が挿着されて前記レンズ枠体及び前記テンプル部材が鼻パッド部材とともに連結されている。さらに、前記板状係止体は、前記長孔の内面に形成された突起部に係合する凹部が形成されている。さらに、前記板状係止体は、前記線状支持体の取付位置から前記線状支持体から延設されるように支持部が切り欠いて形成されている。
【考案の効果】
【０００８】
本考案は、上記のような構成を有することで、レンズ枠体、テンプル部材及び鼻パッド部材を容易に連結して製造可能で連結部分の強度を高めることができる。
【図面の簡単な説明】
【０００９】
【図１】本考案に係る眼鏡に関する平面図及び正面図である。
【図２】鼻パッド部材の線状支持体及び板状係止体に関する平面図及び側面図である。
【図３】レンズ枠体の接続部分及びテンプル部材の取付部分を重ね合せた部分の平面方向からみた一部拡大断面図である。
【図４】レンズ枠体の接続部分を内側からみた一部拡大背面図である。
【図５】レンズ枠体の接続部分及びテンプル部材の取付部分を重ね合せた部分に板状係止体が挿入された状態を示す平面方向からみた一部拡大断面図である。
【考案を実施するための形態】
【００１０】
以下、本考案に係る実施形態について詳しく説明する。なお、以下に説明する実施形態は、本考案を実施するにあたって好ましい具体例であるから、技術的に種々の限定がなされているが、本考案は、以下の説明において特に本考案を限定する旨明記されていない限り、これらの形態に限定されるものではない。
【００１１】
図１は、本考案に係る眼鏡に関する平面図（図１（ａ））及び正面図（図１（ｂ））である。眼鏡は、レンズ枠体１、テンプル部材２及び鼻パッド部材３を組み合せて構成されている。レンズ枠体１は、レンズ１１を保持する一対の枠部分１０及び一対の枠部分１０の中央側を所定の間隔を空けて接続する接続部分１２を備えている。テンプル部材２は、細幅の棒状体を湾曲形成し、両側が一対のテンプル部分２０となり、テンプル部分２０の中央側にはそれぞれフロント部分２１が接続されており、一対のフロント部分２１の中央は取付部分２２により接続されている。鼻パッド部材３は、一対の鼻パッド３０、一対の鼻パッド３０を支持する一対の線状支持体３１及び線状支持体３１が取付固定された板状係止体３２を備えている。
【００１２】
レンズ枠体１及びテンプル部材２は、合成樹脂材料を用いて成形することで様々なデザインに対応することが可能であり、合成樹脂材料以外の金属材料等を組み合せて用いることもできる。レンズ枠体１は、レンズ１１を保持可能な形状に形成されていればよく、フルリム、ブロウバー、ナイロール等の様々なタイプの形状を用いることができる。テンプル部材２は、テンプル部分２０に金属製の線材を内蔵するようにしてもよく、またモダン等の部材を取り付けることもできる。鼻パッド部材３については、線状支持体３１及び板状係止体３２を金属材料を用いて成形することが好ましい。
【００１３】
レンズ枠体１の接続部分１２には、接続部分１２の長手方向に沿うように開口する長孔１２ａが厚さ方向に貫通するように形成されており、テンプル部材２の取付部分２２には、取付部分２２の長手方向に沿うように開口する長孔２２ａが厚さ方向に所定の深さで形成されている。そして、レンズ枠体１の接続部分１２の前側にテンプル部材２の取付部分２２を重ね合せた場合に、取付部分２２の長孔２２ａが接続部分１２の長孔１２ａに一致して連通するように設定し、長孔１２ａ側から鼻パッド部材３の板状係止体３２を挿入して長孔２２ａまで挿着する。板状係止体３２を長孔１２ａまで挿着することで、レンズ枠体１及びテンプル部材２が接続部分１２及び取付部分２２を密着させた状態で連結させることができるとともに鼻パッド３０をレンズ枠体１の所定位置に保持した状態で連結させることが可能となる。
【００１４】
板状係止体３２を長孔１２ａ及び２２ａに差し込んで連結するようにしているので、レンズ枠体１に対してテンプル部材２が揺動することなく取り付けられ、また長孔内周面と板状係止体３２との間の接触面積が大きくなるため、両者の間の摩擦力が大きくなってレンズ枠体１に対してテンプル部材２が離間することが防止される。そして、レンズ枠体１及びテンプル部材２を板状係止体３２により連結しているので、両方の部材に加わる捩じれや引張りといった外力に対しても接続部分１２及び取付部分２２の変形を抑止して十分な強度を備えることができ、優れた耐久性を備えている。そのため、眼鏡の着用状態においてもテンプル部材２とレンズ枠体１とが安定した状態で連結されて良好な着用感を得ることができる。
【００１５】
そして、板状係止体３２を着脱可能に組み合わせることで、必要に応じてレンズ枠体１及びテンプル部材２を分離することができるので、レンズ枠体１及びテンプル部材２を適宜組み合せて様々なデザインの眼鏡を得ることが可能となる。
【００１６】
図２は、鼻パッド部材３の線状支持体３１及び板状係止体３２に関する平面図（図２（ａ））及び側面図（図２（ｂ））である。一対の線状支持体３１の一方の端部には、鼻パッド３０を取り付ける矩形状の箱足部３３がそれぞれ固定されており、他方の端部は、板状係止体３２の両端部にそれぞれ一体的に固定されている。板状係止体３２は、線状支持体３１の外径よりも薄い厚みで略矩形状に形成されており、長辺方向の両端の一方の角部に線状支持体３１が短辺方向に沿うように固定されている。そして、線状支持体３１の断面の中心が板状係止体３２の厚み方向の中心とほぼ一致するように設定されており、線状支持体３１の外周面が板状係止体３２の厚み方向の両側に突出するようになる。
【００１７】
板状係止体３２の両側の短辺部には、それぞれ凹部３２ａが同じ位置に形成されており、凹部３２ａの内側には、略円形の一対の穴部３２ｂが穿設されている。そして、一対の穴部３２ｂには、線状支持体３１に沿うように細幅の切欠き部３２ｃが長辺部まで延設されている。そのため、線状支持体３１の取付位置から凹部３２ａ及び穴部３２ｂの間の位置まで線状支持体３１から延設されるように支持部３２ｄが形成されている。支持部３２ｄは、凹部３２ａ及び穴部３２ｂの間の幅が狭く形成されて変形しやすくなるように設定されており、凹部３２ａ及び穴部３２ｂの間の位置を中心に線状支持体３１とともに揺動するように弾性変形可能となっている。
【００１８】
図３は、レンズ枠体１の接続部分１２及びテンプル部材２の取付部分２２を重ね合せた部分の平面方向からみた一部拡大断面図である。また、図４は、レンズ枠体１の接続部分１２を内側からみた一部拡大背面図である。接続部分１２に形成された長孔１２ａの長さは、板状係止体３２の長辺方向の長さとほぼ同じかわずかに狭くなるように設定されており、長孔１２ａの幅は、板状係止体３２の厚さとほぼ同じかわずかに狭くなるように設定されている。そして、長孔１２ａの長手方向の両側の内面には、線状支持体３１が嵌合可能なように円弧状の嵌合面１２ｂが形成されており、嵌合面１２ｂの幅は長孔１２ａの幅よりも広くなるように設定されている。
【００１９】
取付部分２２に形成された長孔２２ａの長さ及び幅は、開口部分で長孔１２ａの長さ及び幅とほぼ同じになるように設定されている。そして、長孔２２ａの両側の内面には、深さ方向の突き当たり位置から所定の間隔を空けた位置に一対の突起部２２ｂが内側にそれぞれ突出するように形成されている。突起部２２ｂの形成位置は、板状係止体３２の先端から凹部３２ａが形成された位置までの長さとほぼ同じ長さで突き当たり位置から間隔を空けて設定されている。
【００２０】
図５は、レンズ枠体１の接続部分１２及びテンプル部材２の取付部分２２を重ね合せた部分に板状係止体３２が挿入された状態を示す平面方向からみた一部拡大断面図である。レンズ枠１の接続部分１２及びテンプル部材２の取付部分２２を重ね合せて長孔１２ａ及び２２ａの開口が一致して連通するように位置合せした後、鼻パッド部材３の板状係止体３２を接続部分１２の長孔１２ａの開口から挿入する。板状係止体３２の先端は、長孔１２ａを通過して長孔２２ａに挿入されていき、突起部２２ｂに突き当たるが、板状係止体３２の先端を押し込むことで突起部２２ｂを弾性変形させてさらに板状係止体３２を挿入し、長孔２２ａの奥に突き当たるまで挿入する。板状係止体３２が突き当たる位置まで挿入されると、突起部２２ｂが凹部３２ａに嵌合するようになる。そのため、取付部分２２が板状係止体３２から引き抜かれないようにしっかりと係合した状態に設定される。
【００２１】
一方、板状係止体３２が長孔２２ａに挿入されていくと、線状支持体３１が長孔１２ａの両側の嵌合面１２ｂに挿入されるようになる。線状支持体３１は、板状係止体３２の取付位置から外側に次第に広がるように取り付けられているため、嵌合面１２ｂ内に挿入されていくにつれて、線状支持体３１が互いに内側に寄るように押圧されていく。そのため、支持部３２ｄが内側に向かって変形するようになり、線状支持体３１は嵌合面１２ｂに圧接された状態に設定される。そのため、接続部分１２に線状支持体３１ががたつくことなく密着した状態となり、鼻パッド部材３を安定した保持状態で取り付けることができる。
【００２２】
また、板状係止体３２に対して取付部分２２が凹部３２ａにおいて係合状態となっており、接続部分１２が嵌合面１２ｂにおいて圧接状態となっているので、取付部分２２と接続部分１２とが密着した状態を保持することができ、レンズ枠体１及びテンプル部材２が安定した装着状態とすることが可能となる。
【符号の説明】
【００２３】
１・・・レンズ枠体、２・・・テンプル部材、３・・・鼻パッド部材、１０・・・枠部分、１１・・・レンズ、１２・・・接続部分、２０・・・テンプル部分、２１・・・フロント部分、２２・・・取付部分、３０・・・鼻パッド、３１・・・線状支持体、３２・・・板状係止体、３３・・・箱足部
【図１】
0003192205.tif 000003
【図２】
0003192205.tif 000004
【図３】
0003192205.tif 000005
【図４】
0003192205.tif 000006
【図５】
0003192205.tif 000007